(57)【要約】【課題】チェンレス汚泥掻寄機において、駆動装置の周回運動における前後・昇降動作を利用して、自動反転機能を備えたスカムスキマを揺動回転させるようにした汚泥掻寄機のスカムスキマの駆動装置を提供すること。【解決手段】汚泥掻寄機Ａの駆動装置２の周回運動の前後・昇降動作を利用し、スカムスキマ揺動手段Ｂを介して自動反転機能を備えたスカムスキマ８を揺動回転させるように構成する。【選択図】図１
2008229524.tif 000002
【特許請求の範囲】
【請求項１】
汚泥掻寄機の駆動装置の周回運動の前後・昇降動作を利用し、スカムスキマ揺動手段を介して自動反転機能を備えたスカムスキマを揺動回転させるように構成したことを特徴とする汚泥掻寄機のスカムスキマの駆動装置。
【請求項２】
駆動装置を、固定側に配設したピンラックと、該ピンラックに噛合してピンラックに沿って周回運動するようにした駆動ピニオンとにより構成したことを特徴とする請求項１記載の汚泥掻寄機のスカムスキマの駆動装置。
【請求項３】
スカムスキマ揺動手段を、駆動装置の周回運動にて揺動するよう駆動装置に配設したレバーと、該レバーとスカムスキマ間を連結するリンク機構とからなり、かつ汚泥掻寄機の運動に合わせてスカムスキマを揺動するように構成したことを特徴とする請求項１又は２記載の汚泥掻寄機のスカムスキマの駆動装置。
【請求項４】
スカムスキマを、突設したウエイトの自重によりスカムスキマを反転させ、自動復帰するように構成したことを特徴とする請求項１、２又は３記載の汚泥掻寄機のスカムスキマの駆動装置。
【発明の詳細な説明】
【技術分野】
【０００１】
本発明は、汚泥掻寄機のスカムスキマの駆動装置に関し、特に、汚泥掻寄機の駆動力の一部を利用し、かつ該汚泥掻寄機の駆動と同期してスカムスキマを揺動させるようにした汚泥掻寄機のスカムスキマの駆動装置に関するものである。
【背景技術】
【０００２】
従来、下水処理場等においては、該下水処理場に流入する汚水中の汚砂や汚泥を沈殿除去するため沈殿池Ｃを設置し、該沈殿池内に池底に沿って汚泥掻寄用のフライト４１を移動させて沈殿汚砂や汚泥を汚泥ピットＰ側に掻き寄せるよう、特に限定されるものではないが、例えば、図３に示すように、汚泥掻寄機Ａを設置している。
この汚泥掻寄機Ａ、特に限定されるものではないが、例えば、チェンレス汚泥掻寄機においては、図３に示すように、沈殿池Ｃ内に吊垂するようにして配設した汚泥掻寄機Ａを水面上に配設した駆動装置２にて、複数のフライト４１を所定間隔で備えたフライトフレーム４を、一定のストロークだけ池底に沿って前進移動させた後、池底より少し上昇させて同じストロークを後退させるようにした周回運動を行うように構成し、沈殿汚泥の掻き寄せを行うようにしている。
【０００３】
また、水面に浮遊するスカムは、チェンレス汚泥掻寄機と別設のスカムスキマを揺動させてスカムスキマ内に吸引排出するようにしているが、このスカムスキマによる浮遊するスカムの排出を効率的に行うため、チェンレス汚泥掻寄機の駆動と同期してスカムスキマを揺動するようにしている。
【０００４】
しかしながら、沈殿池内に配設したスカムスキマ８は、図４に示すように、スカムスキマ８を駆動するために駆動装置８０をフレームＦに固定し、該駆動装置８０とスカムスキマ８とを駆動連結体８３を介して連結して構成している。このため、汚泥掻寄機の駆動装置２の他にスカムスキマ駆動用の駆動装置８０を別設する必要があり、さらにはスカムスキマ駆動の傾点位置検出のためのリミットスイッチ等を必要とするので構造が複雑になるとともに、またこの駆動装置８０を汚泥掻寄機によるスカムの掻き寄せと同期して駆動するため、同期回路等の複雑な設備をも必要とし、その調整や保守に手数を要し、イニシャルコストとランニングコストが高価になるという問題があった。
【発明の開示】
【発明が解決しようとする課題】
【０００５】
本発明は、汚泥掻寄機の有する問題点に鑑み、チェンレス汚泥掻寄機において、駆動装置の周回運動における前後・昇降動作を利用して、自動反転機能を備えたスカムスキマを揺動回転させるようにした汚泥掻寄機のスカムスキマの駆動装置を提供することを目的とする。
【課題を解決するための手段】
【０００６】
上記目的を達成するため、本発明の汚泥掻寄機のスカムスキマの駆動装置は、汚泥掻寄機の駆動装置の周回運動の前後・昇降動作を利用し、スカムスキマ揺動手段を介して自動反転機能を備えたスカムスキマを揺動回転させるように構成したことを特徴とする。
【０００７】
この場合において、駆動装置を、固定側に配設したピンラックと、該ピンラックに噛合してピンラックに沿って周回運動するようにした駆動ピニオンとにより構成することができる。
【０００８】
また、スカムスキマ揺動手段を、駆動装置の周回運動にて揺動するよう駆動装置に配設したレバーと、該レバーとスカムスキマ間を連結するリンク機構とからなり、かつ汚泥掻寄機の運動に合わせてスカムスキマを揺動するように構成することができる。
【０００９】
また、スカムスキマを、突設したウエイトの自重によりスカムスキマを反転させ、自動復帰するように構成することができる。
【発明の効果】
【００１０】
本発明の汚泥掻寄機のスカムスキマの駆動装置によれば、汚泥掻寄機の駆動装置の周回運動の前後・昇降動作を利用し、スカムスキマ揺動手段を介して自動反転機能を備えたスカムスキマを揺動回転させるように構成することにより、汚泥掻寄機の駆動装置に連動してスカムスキマを揺動駆動させることができるので、スカムスキマを駆動させる駆動装置や傾点位置検出のためのリミットスイッチ等の複雑な機構を必要とせず、スカムスキマを駆動しスカムを吸い込ませることができ、これにより、汚泥掻寄機の調整や保守が簡単となり、イニシャルコストとランニングコストを安くすることができる。
【００１１】
また、駆動装置を、固定側に配設したピンラックと、該ピンラックに噛合してピンラックに沿って周回運動するようにした駆動ピニオンとにより構成することにより、汚泥掻寄機を移動することができるので、沈殿汚泥やスカムの掻き寄せが確実に行える。
【００１２】
また、スカムスキマ揺動手段を、駆動装置の周回運動にて揺動するよう駆動装置に配設したレバーと、該レバーとスカムスキマ間を連結するリンク機構とからなり、かつ汚泥掻寄機の運動に合わせてスカムスキマを揺動するように構成することにより、汚泥掻寄機を駆動するだけで、スカムスキマを揺動することができるので、簡単な機構でスカムスキマを連動させて、スカムの排出をより確実に行うことができる。
【００１３】
また、スカムスキマを、突設したウエイトの自重によりスカムスキマを反転させ、自動復帰するように構成することにより、スカムスキマの揺動力を解除するだけでスカムスキマが自動復帰できるので、スカムスキマの構成を簡単にして、故障の発生を抑制することができる。
【発明を実施するための最良の形態】
【００１４】
以下、本発明の汚泥掻寄機のスカムスキマの駆動装置の実施の形態を、図面に基づいて説明する。
【実施例１】
【００１５】
図１〜図２に、本発明の汚泥掻寄機のスカムスキマの駆動装置の一実施例を示す。
下水処理場に流入する汚水中の汚砂や汚泥を沈殿除去するために設置する沈殿池Ｃ内に、沈殿池の池底Ｃｂに沈殿する汚砂や汚泥を池底の一部に配設した汚泥ピットＰ側に掻き寄せるための汚泥掻寄機Ａを配設する。
この汚泥掻寄機Ａは、水面上に配設した本体フレーム１の駆動装置２の駆動体２１に吊下杆３を介してフライトフレーム４を下方側に、スカム掻寄フレーム５を上方側に平行するようにして配設するとともに、フライトフレーム４には汚泥掻寄用の複数のフライト４１、４１を定ピッチで、またスカム掻寄フレーム５には同様にして複数のスカム掻寄板５１、５１を定ピッチで、それぞれ備えるとともに、本体フレーム１には駆動装置２を配設して構成する。
【００１６】
また、汚泥掻寄機Ａを駆動する駆動装置２は、本体フレーム等の固定側に配設したピンラック２２と、このピンラック２２に噛合し、かつてピンラック２２に沿って楕円形の周回軌道を運行するようにした駆動体２１とにより構成する。
この駆動体２１は、ピンラック２２に噛合した駆動ピニオン２３と、該駆動ピニオン２３を回転駆動するようにしたモータ等の駆動源（図示省略）とにより構成する。
そして、この駆動体２１を楕円形の周回軌道を運行するようにしたピンラック２２は、複数本のピンを直線状に植設して構成し、かつピンラック２２の長さを、特に限定されるものではないが、例えば、フライトフレーム４に配設するフライトピッチ等を鑑みて池底Ｃｂに沿って一定のストロークＬだけ前進或いは後進移動するようにして定め、また、楕円形をした周回軌道の高さＨは、フライトフレーム４の降下時において汚泥掻寄用の複数のフライト４１の下端縁が沈殿池Ｃの池底Ｃｂに近設して沈殿汚泥を掻き寄せるようにする位置から、フライトフレーム４の上昇時においてスカム掻寄板５１により水面位置に浮遊するスカムＳをスカムスキマ側に掻き寄せられる位置まで上下するようにして定める。
【００１７】
これにより、ピンラック２２に噛合した駆動体２１の駆動ピニオン２３がモータ等の駆動源により回転駆動されると、駆動ピニオン２３がピンラック２２と噛合して移動する際、駆動ピニオン２３はピンラック２２を周回するようにして回転移動するようにする。この場合、駆動体側に吊下杆３を吊垂支持するようにしているため、駆動体２１の楕円形の周回移動により、吊下杆３を介して吊垂支持したフライトフレーム４及びスカム掻寄フレーム５を備えた汚泥掻寄機Ａの全体は、一定ストロークＬを前進、及び後進し、かつこの前後進運動と組み合わせて、一定の高さＨだけ上下動するようにする。
【００１８】
また、汚泥掻寄機Ａの駆動装置２には、スカムスキマ揺動手段Ｂを配設する。このスカムスキマ揺動手段Ｂは、ピンラック２２による駆動体２１の周回運動にて揺動するよう駆動装置に配設したレバー６と、該レバー６とスカムスキマ間を連結するよう配設したリンク７とから構成する。
このレバー６は、駆動装置２にピン軸を介して揺動可能に支持し、下端側をピンラック２２に沿って周回運動する駆動体２１により蹴られて揺動するようにし、またこのレバー６の上端にリンク７の一端側を枢着し、またこのリンク７の他端側をピン軸を介してスカムスキマ８に係止することで、汚泥掻寄機Ａの移動に合わせてスカムスキマ８を揺動するようにする。
【００１９】
スカムスキマ８は、沈殿池Ｃの汚泥ピットＰと反対側のスカム掻寄側水面位置に揺動可能に配設する。このスカムスキマ８は、特に限定されるものではないが、例えば、図示の実施例のように円筒形でその一部を切り欠いてスカム吸込口８１を形成し、通常はこのスカム吸込口８１は、図１に示すように上面を向くようにして静止させ、スカム吸い込み時のみスカムスキマ８を揺動（傾転）させて、図２に示すように、スカム吸込口８１が水面位置となるようにする。
また、このスカムスキマ８には、レバー６及びリンク７よりなるスカムスキマ揺動手段Ｂにて揺動した後、スカム吸込口８１が上面を向く静止状態に自動的に復帰するよう、自動反転機能を備える。この自動反転機能は、図１に示すように、スカムスキマ８より上方へ突設したロッド９の先端にウエイト９１を取り付けるようにして形成する。このウエイト９１の自重により、スカムスキマ８を反転させ、自動復帰するようにする。
なお、このロッド９の一部に前記リンク７を係止することができる。
【００２０】
次に、本発明の汚泥掻寄機のスカムスキマの駆動装置の作用について説明する。
駆動装置２のピンラック２２に駆動ピニオン２３が噛合されて駆動体２１が矢符方向に周回運動を行う場合、ピンラック２２の下方側に沿って駆動体２１が移動する時、該駆動体に吊垂支持された汚泥掻寄機Ａの全体は、降下状態で汚泥ピット側に向かって一定ストロークＬだけ前進移動する。このとき、フライトフレーム４は降下位置にあって汚泥掻寄用のフライト４１の下端縁が沈殿池内底に近設して沈殿汚泥を汚泥ピット側に掻き寄せる。そして、駆動体２１がピンラック２２の先端位置に達すると駆動体２１は反転するようにしてピンラック２２の上方側に沿って移動する。これにより、汚泥掻寄機Ａの全体は引き上げられるようになる。
【００２１】
この汚泥掻寄機Ａの全体は引き上げられ、かつピンラック２２に沿って、同様に一定ストロークＬだけ後退移動するが、この場合、汚泥掻寄用のフライト４１の下端縁は沈殿池内底面より引き上げられた状態となっているので沈殿汚泥の掻き寄せは不能となるが、水面位置に引き上げられたスカム掻寄板５１により水面位置に浮遊するスカムをスカムスキマ８側に掻き寄せられるようになる。
【００２２】
次に、駆動体２１がピンラック２２の上方側後端位置に達すると、図１に示すように、駆動体がレバー６の下端部と接触し、かつ駆動体２１のさらなる移動によりレバー６は揺動するようになる。このレバー６の先端にはリンク７が枢着されているので、レバー６の揺動はこのリンク７をレバー揺動方向へ引くようになり、該リンク端を係止したスカムスキマ８は、ウエイト９１に打ち勝って、そのスカム吸込口８１が上面より水面側に向かうよう揺動する。
これにより、スカム掻寄板５１により掻き寄せられ、水面に浮遊するスカムＳを水面位置の汚水と共にスカム吸込口８１よりスカムスキマ８内に吸い込まれるようになり、沈殿池Ｃの外へ排出される。
【００２３】
なお、周回移動により駆動体がレバーの接触位置より離間すると、スカムスキマ８はウエイト９１の自重により反転して自動復帰するものとなり、スカム吸込口８１は上面を向き、静止し、次の揺動を待つようになる。
【００２４】
本発明によれば、チェンレス汚泥掻寄機の駆動装置に連動して、スカムスキマを駆動させることにより、従来のようにスカムスキマを駆動させるための駆動装置や傾点位置検出のためのリミットスイッチ等の複雑な機構を必要とせず、スカムスキマを駆動してスカムを吸い込ませることができる。
また、これにより、汚泥掻寄機の調整や保守が簡単となり、イニシャルコストとランニングコストを安くすることができる。
【００２５】
以上、本発明の汚泥掻寄機のスカムスキマの駆動装置について、実施例に基づいて説明したが、本発明は上記実施例に記載した構成に限定されるものではなく、その趣旨を逸脱しない範囲において適宜その構成を変更することができるものである。
【産業上の利用可能性】
【００２６】
本発明の汚泥掻寄機のスカムスキマの駆動装置は、汚泥掻寄機を駆動する駆動装置の周回運動での前後・昇降動作を利用して、自動反転機能を備えたスカムスキマを揺動回転させるという特性を有していることから、沈殿池内のスカムの排出を行うスカムスキマ駆動の用途に好適に用いることがでる。
【図面の簡単な説明】
【００２７】
【図１】本発明の汚泥掻寄機のスカムスキマの駆動装置の一実施例を示す説明図である。
【図２】スカムスキマ駆動時の説明図である。
【図３】従来のチェンレス汚泥掻寄機の全体を示す説明図である。
【図４】従来のスカムスキマ駆動装置の説明図である。
【符号の説明】
【００２８】
Ａ    汚泥掻寄機
Ｂ    スカムスキマ揺動手段
１    本体フレーム
２    駆動装置
２１  駆動体
２２  ピンラック
２３  駆動ピニオン
３    吊下杆
４    フライトフレーム
４１  汚泥掻寄用のフライト
５    スカム掻寄フレーム
５１  スカム掻寄板
６    レバー
７    リンク
８    スカムスキマ
８１  スカム吸込口
９    ロッド
９１  ウエイト
【図１】
2008229524.tif 000003
【図２】
2008229524.tif 000004
【図３】
2008229524.tif 000005
【図４】
2008229524.tif 000006